【手続補正書】
【提出日】平成18年6月2日(2006.6.2)
【手続補正１】
【補正対象書類名】明細書
【補正対象項目名】特許請求の範囲
【補正方法】変更
【補正の内容】
【特許請求の範囲】
【請求項１】  
光源と、
前記光源から発生した光を被検体側へ伝送する光伝送手段と、
前記光伝送手段によって伝送された光を被検体へ集光する集光手段と、
前記被検体に集光される光を移動させる光走査手段と、
前記被検体からの戻り光を受ける受光手段と、
前記受光手段を用いて受けた戻り光を検出する光検出手段と、
前記光検出手段から出力される信号から画像を生成する画像生成手段と、
前記光検出手段から出力される信号のうち前記光走査手段を駆動する駆動周波数と略同一の周波数成分またはその整数倍の周波数成分を抽出し、その大きさに応じた信号を出力する周波数検出手段と、
を備えたことを特徴とする光イメージング装置。
【請求項２】
前記画像生成手段により生成された画像を表示する画像表示手段を備え、
前記画像表示手段は、前記周波数検出手段からの信号レベルを表示するレベル表示エリアを有することを特徴とする請求項１に記載の光イメージング装置。
【請求項３】
前記光検出手段から出力される信号の実効値を検知する実効検知手段と、
前記周波数検出手段からの出力を前記実効値検出手段で検知された実効値で除算する除算手段と、
を備えることを特徴とする請求項１または請求項２に記載の光イメージング装置。
【請求項４】
前記集光手段の表面または近傍に散乱物質または蛍光物質からなる反射体が設けられ、
前記光検出手段は、前記受光手段を用いて受けた戻り光とともに、前記反射体からの光を検出することを特徴とする請求項１から請求項３のいずれか一つに記載の光イメージング装置。
【請求項５】
前記光の光路中に設けられたシャッタと、
前記周波数検出手段からの出力の値とあらかじめ決められた基準値との比較結果に応じて前記シャッタの開閉を制御する制御手段と、
を備えることを特徴とする請求項１から請求項４のいずれか一つに記載の光イメージング装置。
【請求項６】
前記周波数検出手段からの出力の値とあらかじめ決められた基準値との比較結果に応じて前記光源の停止を制御する制御手段を備えることを特徴とする請求項１から請求項４のいずれか一つに記載の光イメージング装置。
【請求項７】
光源と、
前記光源から発生した光を被検体側へ伝送する第１の光伝送手段と、
前記第１の光伝送手段によって伝送された光を被検体へ集光する集光手段と、
前記被検体に集光される光を移動させる光走査手段と、
前記被検体からの戻り光を受ける受光手段と、
前記受光手段を用いて受けた戻り光を検出する第１の光検出手段と、
前記第１の光検出手段から出力される信号から画像を生成する画像生成手段と、
前記光源から発生した光を前記光走査手段へ伝送する第２の光伝送手段と、
前記第２の光伝送手段により伝送された光を検出する第２の光検出手段と、
前記第２の光検出手段から出力される信号のうち前記光走査手段を駆動する駆動周波数と略同一の周波数成分またはその整数倍の周波数成分を抽出し、その大きさに応じた信号を出力する周波数検出手段と、
を備えたことを特徴とする光イメージング装置。
【請求項８】
前記光走査手段に散乱体が設けられ、
前記第２の光検出手段は、前記第２の光伝送手段により伝送されて前記散乱体において反射された光を検出することを特徴とする請求項７に記載の光イメージング装置。
【請求項９】
前記第２の光検出手段は、前記光走査手段に設けられていることを特徴とする請求項７に記載の光イメージング装置。
【請求項１０】
前記被検体内に挿入可能なプローブを備え、
前記光り伝送手段の少なくとも一部は、前記プローブの内部に設けられていることを特徴とする請求項１から請求項９のいずれか一つに記載の光イメージング装置。
【手続補正２】
【補正対象書類名】明細書
【補正対象項目名】０００８
【補正方法】変更
【補正の内容】
【０００８】
【課題を解決するための手段】
本発明の一態様による光イメージング装置は、光源と、前記光源から発生した光を被検体側へ伝送する光伝送手段と、前記光伝送手段によって伝送された光を被検体へ集光する集光手段と、前記被検体に集光される光を移動させる光走査手段と、前記被検体からの戻り光を受ける受光手段と、前記受光手段を用いて受けた戻り光を検出する光検出手段と、前記光検出手段から出力される信号から画像を生成する画像生成手段と、前記光検出手段から出力される信号のうち前記光走査手段を駆動する駆動周波数と略同一の周波数成分またはその整数倍の周波数成分を抽出し、その大きさに応じた信号を出力する周波数検出手段と、を備えている。
本発明の別の態様による光イメージング装置は、光源と、前記光源から発生した光を被検体側へ伝送する第１の光伝送手段と、前記第１の光伝送手段によって伝送された光を被検体へ集光する集光手段と、前記被検体に集光される光を移動させる光走査手段と、前記被検体からの戻り光を受ける受光手段と、前記受光手段を用いて受けた戻り光を検出する第１の光検出手段と、前記第１の光検出手段から出力される信号から画像を生成する画像生成手段と、前記光源から発生した光を前記光走査手段へ伝送する第２の光伝送手段と、前記第２の光伝送手段により伝送された光を検出する第２の光検出手段と、前記第２の光検出手段から出力される信号のうち前記光走査手段を駆動する駆動周波数と略同一の周波数成分またはその整数倍の周波数成分を抽出し、その大きさに応じた信号を出力する周波数検出手段と、を備えている。
【手続補正３】
【補正対象書類名】明細書
【補正対象項目名】００５２
【補正方法】変更
【補正の内容】
【００５２】
ＣＰＵ３３では、図１１に示すように、ステップＳ１でＶ2fを検出すると、ステップＳ２でＶ2fが基準値Ｖref2より小さいかどうか判断する。先端内の対物レンズ１４の外周近傍にリング状の反射体７１からの反射光は、Ｙ走査ミラー１２及びＸ走査ミラー１３が正常にスキャニングしているときは駆動周波数の２倍の周波数の反射光となっているので、ステップＳ３でＶ2fが基準値Ｖref2以上（図１２）であればスキャニングが正常な振幅でなされていると判断しステップＳ１に戻る。また、Ｖ2fが基準値Ｖref2より小さい場合（図１３）はスキャニングが所望の振幅でスキャニングされていないので、ステップＳ４でミラーのスキャニングが停止したと判断しステップＳ５で光源を停止する。
【手続補正４】
【補正対象書類名】明細書
【補正対象項目名】００５９
【補正方法】変更
【補正の内容】
【００５９】
ＣＰＵ３３では、図１８に示すように、ステップＳ１１でＶ2fを検出すると、ステップＳ１２でＶ2fが基準値Ｖref2より小さいかどうか判断する。先端内の対物レンズ１４の外周近傍にリング状の反射体７１からの反射光は、Ｙ走査ミラー１２及びＸ走査ミラー１３が正常にスキャニングしているときはスキャン範囲（振幅）が２×Ｒ2のスキャンを行っており、駆動周波数の２倍の周波数の反射光となっているので、ステップＳ１３でＶ2fが基準値Ｖref2以上（図１９）であればスキャニングが正常な振幅でなされていると判断しステップＳ１１に戻る。また、Ｖ2fが基準値Ｖref2より小さい場合（図２０あるいは図２１）はスキャニングが正常振幅でスキャニングされていないので、ステップＳ１４でＶfを検出し、ステップＳ１５でＶfが基準値Ｖref3より小さいかどうか判断する。
【手続補正５】
【補正対象書類名】明細書
【補正対象項目名】００６０
【補正方法】変更
【補正の内容】
【００６０】
Ｖfが基準値Ｖref3以上（図２０）と判断すると、ステップＳ１６で振幅範囲が狭くはなっているがスキャニングは行われている（振れ角異常）と判断し、ステップＳ１７でスキャン周波数を調整してステップＳ１１に戻る。スキャン周波数を調整することで、温度等による共振周波数のズレを補正し正常振幅のスキャンに自動調整する。
【手続補正６】
【補正対象書類名】明細書
【補正対象項目名】００６１
【補正方法】変更
【補正の内容】
【００６１】
Ｖfが基準値Ｖref3より小さい（図２１）と判断すると、ステップＳ１８でミラーのスキャニングが停止したと判断しステップＳ１９で光源を停止する。